(57)【要約】【課題】コントラアングルタイプのハンドピース部から歯科用光照射器において、最奥の歯牙を裏側から光照射する場合に、患者が口を大きく開かなければならないような負担をなくし、かつ、術者が不自然な体形で作業しなければならないような負担をなくし、かつ、最奥の歯牙を裏側から光を効果的に照射できるようにした光照射器を提供する。【解決手段】コントラアングルタイプのハンドピース部１０と、該ハンドピース部１０の先端に取り付けられたヘッド部２０とからなり、該ヘッド部２０から光を照射する歯科用光照射器において、前記ヘッド部２０は前記ハンドピース部１０の軸線まわりに回転可能である。ヘッド部２０を１８０°回転させて使用することにより、ヘッド部２０の光放出面２０’からの光が歯牙３０の裏面側より効果的に照射される（ｘ2がより小さくなる）。【選択図】図１
2010184030.tif 000002
【特許請求の範囲】
【請求項１】
コントラアングルタイプのハンドピース部と、該ハンドピース部の先端に取り付けられたヘッド部とからなり、該ヘッド部から光を照射する歯科用光照射器において、前記ヘッド部は前記ハンドピース部の軸線まわりに回転可能であることを特徴とする歯科用光照射器。
【請求項２】
前記ヘッド部の回転は、９０°毎にロック可能であることを特徴とする請求項１に記載の歯科用光照射器。
【請求項３】
前記ヘッド部は、３６０°以上の回転は不可であることを特徴とする請求項１又は２に記載の歯科用光照射器。
【請求項４】
前記ヘッド部は、ＬＥＤを有し、該ＬＥＤからの光を照射するものであることを特徴とする請求項１乃至３のいずれかに記載の歯科用光照射器。
【請求項５】
前記ヘッド部から照射される光は、光重合レジンを硬化させるものであることを特徴とする請求項１乃至４のいずれかに記載の歯科用光照射器。
【発明の詳細な説明】
【技術分野】
【０００１】
本発明は、歯科治療において、口腔内に挿入して、歯牙の修繕に用いた光重合レジンに光（例えば、４００〜５００ｎｍ、より具体的には、４７８ｎｍ）を照射して、該光重合レジンを硬化させるための光照射器に係り、特に、ハンドピース部がコントラアングルタイプの光照射器において、ハンドピース部先端部におけるヘッド部を該ハンドピース部の軸線まわりに回転可能とし、該ヘッド部を回転することにより光の照射方向を変えることができるようにした光照射器に関する。
【背景技術】
【０００２】
歯科治療においては、歯牙修復材として光重合レジンを用いるが、この光重合レジンは、例えば、歯牙の破損箇所へ充填した後、光を照射して接着、硬化させ、硬化後、切削，研磨等を行って、元の歯牙と一体化させて破損前の歯牙の審美性を持たせて修復するものである。
【０００３】
図４は、従来のコントラアングルタイプの光照射器の使用例を説明するための概略図で、図中、１０はハンドピース部、２０はヘッド部で、該ヘッド部２０内には、例えば、ＬＥＤ等の発光源２０1を有し、該発光源２０1からの光が歯牙の破損箇所へ充填された光重合レジンに照射され、該光重合レジンを硬化させる。なお、２０2はＬＥＤの熱を逃すための熱吸収剤、２０3はレジンを乾燥させるためのエアーを流す通路である。
【０００４】
図４（Ａ）は最奥の下顎歯牙３０の上部から光を照射する場合の例を示す図、図４（Ｂ）は、該歯牙３０の後部から該歯牙３０の裏側面３０’に光を照射する場合の例を示す図で、ハンドピース部１０が、コントラアングルタイプの場合、図４（Ａ）に示すように、歯牙３０の上部から光を照射する場合はハンドピース部１０を患者の口腔に対して略水平に挿入することができるので何ら支障はないが、図４（Ｂ）に実線にて示すように、例えば、下顎の最奥歯牙３０の後方から該歯牙３０の裏側面３０’に光を照射する場合は、ハンドピース部１０を患者の口腔に対して垂直方向にできるだけ立てて使用するため、患者には口を大きくあけてもらわねばならず、それが患者に大きな負担となっていた。
【発明の開示】
【発明が解決しようとする課題】
【０００５】
本発明は、上述のごとき実情に鑑みてなされたもので、患者が口を大きく開かなければならないような負担をなくし、かつ、術者が不自然な体形で作業しなければならないような負担をなくし、かつ、最奥の歯牙を裏側から光を効果的に照射できるようにした光照射器を提供することを目的としてなされたものである。
【課題を解決するための手段】
【０００６】
請求項１の発明は、コントラアングルタイプのハンドピース部と、該ハンドピース部の先端に取り付けられたヘッド部とからなり、該ヘッド部から光を照射する歯科用光照射器において、前記ヘッド部は前記ハンドピース部の軸線まわりに回転可能であることを特徴としたものである。
【０００７】
請求項２の発明は、請求項１の発明において、前記ヘッド部の回転は、９０°毎にロック可能であることを特徴としたものである。
【０００８】
請求項３の発明は、請求項１又は２の発明において、前記ヘッド部は、３６０°以上の回転は不可であることを特徴としたものである。
【０００９】
請求項４の発明は、請求項１乃至３のいずれかの発明において、前記ヘッド部は、ＬＥＤを有し、該ＬＥＤからの光を照射するものであることを特徴としたものである。
【００１０】
請求項５の発明は、請求項１乃至４のいずれかの発明において、前記ヘッド部から照射される光は、光重合レジンを硬化させるものであることを特徴としたものである。
【発明の効果】
【００１１】
本発明によると、ハンドピース部がコントラアングルタイプの光照射器において、歯牙の上方から光を照射する場合は、ハンドピース部を従来と全く同様に持って光照射を行うことができ、歯牙の側方から光を照射する場合は、ヘッド部を左右いずれかの方向に９０°回転することにより、ハンドピース部を従来と同様の握り方で持って、より効果的に光を歯牙の側方（舌側又は頬側）から照射することができ、最奥歯牙の裏方から光を照射する場合は、ヘッド部をハンドピース部に対して１８０°回転し、かつ、ハンドピース部の握り面を１８０°回転して握ることにより、ハンドピース部をあまり立てることなく、歯牙の裏側から光を照射することができ、従って、患者は、大きく口をあけることはなく、楽な状態で治療を受けることができる。
【発明を実施するための最良の形態】
【００１２】
図４（Ｂ）に示したように、従来の光照射器を用いて下顎最奥の歯牙３０の裏側から該歯牙３０の裏面側３０’に光を照射する場合、歯牙３０の裏面側３０’を効果的に照射するためには、ヘッド部２０の光射出面２０’が歯牙３０の裏面側３０’に対してできるだけ平行になるように、ハンドピース部１０をできるだけ立てて使用したいが、そのためには、患者は口を大きく開けなければならず、例えば、図示のように、口を精一杯大きく開けても、ハンドピース１０をＸ1度立てることができるだけで、それ以上は、ハンドピース部１０が患者の上顎前歯に当ってしまって立てることができず、また、患者は口を精一杯大きく開けなければならず、それが患者の苦痛にもなっていた。
【００１３】
本発明は、上述のごとき課題を解決するためになされたもので、ハンドピース部１０がコントラアングルタイプの光照射器において、ヘッド部２０をハンドピース部２０の軸線まわりに少なくとも１８０°回転可能にし、患者が大きく口を開けなくても、該ヘッド部２０からの光が、歯牙３０の裏面側に照射されるようにし、或いは、患者が従来技術と同程度に大きく口を開ける場合には、該歯牙３０の裏面側により効果的に光が照射されるようにしたものである。
【００１４】
図１は、本発明による歯科用光照射器の一使用例を説明するための図で、本発明においては、ハンドピース部がコントラタイプの光照射器において、ヘッド部１０がハンドピース部に対して回転可能になっており、図１は、図４に示した従来の光照射器に対して、ヘッド部２０が１８０°回転され、光の照射方向が１８０°変更され、変更された光照射面２０’で歯牙３０を照射するようにした場合の例を示す。図１及び図４（Ｂ）の実線との比較から明らかなように、ハンドピース部１０の立ち角度Ｘ1を同じにすれば、ヘッド部２０からの光照射角度Ｘ1が小さくなり（Ｘ1＜Ｘ2）、より効果的に歯牙３０の裏面側を照射することができる。
【００１５】
図２は、上述のように、ハンドピース部１０に対してヘッド部２０を回転自在に取り付けるための機構の一例を説明するための図で、図２（Ａ）に示すように、ハンドピース部１０のヘッド部２０との連結箇所には、ピン１１が固定されており、該ピン１１が図２（B）に示すヘッド部２０の周まわりの溝２１と係合した時に、ヘッド部１０は回転可能であり、軸方向の溝２２と係合した時に、ヘッド部１０は該軸方向の溝２２によって回転が阻止され、ヘッド部１０は、ハンドピース部１０に対して、係合した溝２２の回転位置に係止される。
【００１６】
前記軸方向の溝２２は、例えば、９０°置きに４本設けられており、ヘッド部２０は、ハンドピース部１０に対して、上下左右の４方向に変更固定可能であり、図４に示した従来例に比し、１８０°回転した場合、図１に示した状態となり、ハンドピース部１０の口腔内への入り口立角度Ｘ1を同じにした場合、ヘッド部２０からの光の照射方向がｘ2となり、従来技術に比して、歯牙３０の裏面側からより平行に光を照射することができる。逆に、図４（Ｂ）に破線にて示すように、光の照射角度を同じｘ1度とすれば、ハンドピース部２０はＸ2度（Ｘ2＜Ｘ1）立てればよく、患者はそれほど大きな口を開けなくても済み、患者の負担を減らすことができる。なお、ヘッド部２０の溝２１を遮る遮断壁２３を１箇所設けておくと、ヘッド部２０は３６０°以上回転することはなく、ＬＥＤ等の光源に対する配線が混乱、断線するような恐れはない。
【００１７】
図３は、ハンドピース部１０にヘッド部２０を結合させた場合の断面構成を示す図で、図示のように、ハンドピース１０とヘッド２０との間には、ばね１２が設けられており、このばね１２によって、常時は、ピン１１が軸方向の溝２２のいずれかに係合して、ヘッド部２０がハンドピース部１０より前方に押し出された状態となっており、この状態では、ヘッド部２０はハンドピース部１０に対して回転不可能になっている。つまり、ヘッド部２０はハンドピース部１０に対して、９０°間隔を置いた上下左右のいずれかの向きに固定される。
【００１８】
ヘッド部１０の向きを変えたい時は、ヘッド部２０をばね１２の弾性力に抗して押し、ピン１１をヘッド部２０の周まわりの溝２１と係合させ、この状態で、ヘッド部２０を回転し、所望の回転位置（上下左右のいずれか１つ）に合せ、その状態でヘッド部２０を押す力を抜くと、ばね１２の弾性力によってヘッド部２０が押し出され、選択された位置に対応する軸溝２２と係合し、その位置に固定される。以降、同様にして、ヘッド部１０の光照射面が９０°置きの所望の向きを向くように調整することができる。
【００１９】
上述のように、本発明によると、ハンドピース部がコントラアングルタイプの歯科用光照射器において、ハンドピース部１０に対してヘッド部２０を例えば９０°置きに回転固定可能にしたので、歯牙の裏側、舌側、頬側のいずれからでも効果的に光照射をすることができ、特に、最奥歯牙の裏面側に照射するような場合に、患者が大きく口を開けなくとも、より効果的に該歯牙の裏面側に照射することができる。
【図面の簡単な説明】
【００２０】
【図１】本発明による歯科用光照射器の一使用例を説明するための図である。
【図２】ハンドピース部に対してヘッド部を回転自在に取り付けるための機構の一例を説明するための図である。
【図３】ハンドピース部にヘッド部を結合させた場合の断面構成を示す図である。
【図４】従来のコントラアングルタイプの光照射器の使用例を説明するための概略図である。
【符号の説明】
【００２１】
１０…ハンドピース部（コントラタイプ）、１１…ピン、１２…ばね、２０…ヘッド部、３０…歯牙、２１…周まわりの溝、２２…軸方向の溝。
【図１】
2010184030.tif 000003
【図２】
2010184030.tif 000004
【図３】
2010184030.tif 000005
【図４】
2010184030.tif 000006